(57)【要約】【課題】換気パネル等の各構成部品の寸法ばらつきや組み付けのばらつきを容易に補正することができ、開閉部材を確実に係止することが可能な開閉部材用係止装置を提供する。【解決手段】一対の上ブロック４２と下ブロック４０とで構成され、上ブロック４２にはコの字開口部４６を備える。下ブロック４０は、取り付け面１４ｃに当接する下面４０ａを有する。上ブロック４２の下面及び下ブロックの上面は、通気開口部周縁面１４ｂに対して傾斜して設けられ、その傾斜面４２ｂ，４０ｂには凸凹部４２ｃ，４０ｃを備える。上ブロック４２と下ブロック４０は、互いの凸凹部４２ｃ，４０ｃ同士を係合させて取り付け面１４ｃに固定される。上ブロック４２と下ブロック４０の係合位置を変更することにより、コの字開口部４６と取り付け面１４ｃとの距離を調節する。【選択図】図１
2010032095.tif 000002
【特許請求の範囲】
【請求項１】
屋内に設置された換気用通気路の終端の通気開口部に取り付けられ、前記通気開口部を開放及び閉鎖自在に取り付けられた開閉部材と、前記開閉部材に摺動自在に設けられた突起部と、前記突起部をその突出方向に対して垂直方向に往復動させる操作部材とが設けられ、前記突起部の往復動の方向と平行に形成された取り付け面が設けられ、前記取り付け面には、一方の側面にコの字状に開口したコの字開口部を有する係止具が取り付けられ、前記開閉部材で前記通気開口部を閉鎖した状態で前記操作部材を操作して前記突起部を所定方向に移動させると、前記突起部が前記コの字開口部に係合し、前記開閉部材が前記通気開口部周縁面側に圧接する方向に引き寄せられて係止される開閉部材用係止装置において、
前記係止具は、一対の上ブロックと下ブロックとを重ねて構成され、前記上ブロックには前記コの字開口部が設けられ、前記下ブロックには、前記取り付け面に当接する下面が設けられ、前記上ブロックの下面及び下ブロックの上面は、前記取り付け面に対して傾斜して設けられ、かつ、その傾斜面には凸凹部が形成され、前記上ブロックと前記下ブロックは、互いの前記凸凹部同士を係合させて前記取り付け面に一体に固定され、前記上ブロックと前記下ブロックの係合位置を変更することによって、前記コの字開口部と前記取り付け面との距離を調節可能としたことを特徴とする開閉部材用係止装置。
【請求項２】
前記通気開口部を閉鎖したとき、前記通気開口部周縁面と前記開閉部材は、いずれか一方の表面に取り付けられたシール材を挟んで当接することを特徴とする請求項１記載の開閉部材用係止装置。
【請求項３】
前記上ブロック及び下ブロックの側面に目盛りが付され、前記目盛りは、前記上ブロック及び前記下ブロックが互いに係合した状態で、前記下ブロック下面から前記コの字開口部の誘導面までの距離を表示することを特徴とする請求項１又は２記載の開閉部材用係止装置。
【発明の詳細な説明】
【技術分野】
【０００１】
この発明は、外気等を屋内に取り込む換気用通気路の通気開口部等に取り付けられ、その通気開口部を開放／閉鎖する開閉部材を係止する開閉部材用係止装置に関する。
【背景技術】
【０００２】
例えば、高層ビル等に設けられる窓は、安全性等の観点から開閉できない構造が用いられる場合がある。その場合室内の空気を循環させるため、専用の換気用通気路を介して外気等が取り込まれる。そして、各室内に配置された換気用通気路の終端には、換気状態を調節するための換気パネルが取り付けられている。
【０００３】
まず、一般的に設置されているこの換気パネルは、例えば室内の窓ガラスの下方に設けられ、換気用通気路の終端に取り付けられた開閉部材によって開閉可能に設けられている。開閉部材は、窓枠周辺に軸着され、開閉用の押しボタンと操作レバーを備えている。操作レバーは、開閉部材に摺動自在に設けられたスライド板を摺動させるもので、このスライド板には係止用の突起が設けられている。
【０００４】
従来、開閉部材の係止には、図８に示すような係止具が用いられている。係止具２８は、Ｔ型に打ち抜かれた金属板の上端の横板部２８ａが縦板部２８ｂに対して直角に折り曲げられ、さらに縦板部２８ｂに連続する下端部２８ｃが横板部２８ａと対向する向きに直角に折り曲げられ、図９に示すようにコの字開口部３０が形成されている。さらに、下端部２８ｃは、横板部２８ａから離れる方向に傾斜して曲げられ、誘導面３２が形成されている。
【０００５】
また、図９に示すように、開閉部材１６の裏面側に摺動ガイド２２が設けられ、細長の板材であるスライド板２４が、長手方向に摺動自在に保持されている。また、スライド板２４には、摺動ガイド２２との摺動面と反対側の面であって、長手方向の両端近傍に、略円筒形状の突起部２６が一対に形成されている。そして、窓サッシの本体枠１４の通気開口部１４ａ内には、開閉部材１６側の突起部２６が往復移動する方向と平行に形成された取り付け面１４ｃが形成されており、その取り付け面１４ｃに、開閉部材１６を本体枠１４側へ引き寄せて係止する係止具２８が取り付けられている。係止具２８は、図８（ｂ）に示すように、横板部２８ａの外面側を取り付け面１４ｃに当接し、横板部２８ａが突起部２６の往復移動の方向と平行に配置され、横板部２８ａの両端部分に設けられた取り付け穴３４に螺子３６を挿通させて取り付け面１４ｃに固定されている。ここで、説明の便宜上、取り付け面１４ｃから係止具２８の誘導面３２の内側面２８ｃまでの距離をα、取り付け面１４ｃから誘導面３２の先端までの距離をβと定義する。
【０００６】
開閉部材１６が閉じられただけで、突起部２６と係止具２８により開平部材１６が係止されていないとき、突起部２６は、コの字開口部３０の外側（図８（ｂ）においては縦板部２８ｂの下方）に位置している。また、図９に示すように、突起部２６の上端と取り付け面１４ｃとの距離ｄは、α＜ｄ＜βの関係を満たしている。
【０００７】
そして、係止具２８に突起部２８を係止させる場合、突起部２６がコの字開口部３０側に向かって（図８（ｂ）においては縦板部２８ｂの方向に）移動し、突起部２６の上部が誘導面３２に接触する。さらに、図示しない操作部材を操作してスライド板２４を摺動させると、突起部２６の上部は誘導面３２表面を摺動しながらコの字開口部３０の内側に進行する。そして、開閉部材１６は、通気開口部周縁面１４ｂに圧接される方向に引き寄せられ、やがて、突起部２６がｄ＝αとなる位置まで移動したところで動作が停止し、開閉部材１６を確実に引き込んで係止した状態となる。このとき、通気開口部周縁部１４ｂは、開閉部材１６の下面部分が隙間なく当接し、空気の流れを遮断する。一方、係止の解除は、上記と逆の操作によって同様に行われるが、ここでは説明を省略する。
【０００８】
以上説明したように、換気パネルの係止具の構造は、開閉部材１６に設けられた突起部２６と本体枠１４に設けられた係止具２８の特定部分との位置関係を、所定の条件を満たすよう設定することによって、通気開口部１４ａを確実に閉鎖状態にして係止するものである。
【０００９】
また、特許文献１には、建築物の基礎の構築に関する技術であって、断面コの字の形状を有し、その両側板に外方に突出する突出片を突設した下部ランナーを、基礎構築地面に打設された捨てコンクリート上に設置するとき、捨てコンクリートと下部ランナーとの間に、下部ランナーを内方に収容し、両側板上縁の傾斜辺部に複数の鋸歯状係合部を形成した段差調整スペーサを介在させる乾式基礎が開示されている。これは、比較的水平レベル精度の低い捨てコンクリート上に乾式基礎を設置する際、下部ランナーの突出片を段差調整スペーサの任意の位置の鋸歯状係合部に係合させることによって、下部ランナー及びコンクリートパネルの傾き等を補正しようとするものである。
【特許文献１】特開２００７−２１７８７１号公報
【発明の開示】
【発明が解決しようとする課題】
【００１０】
しかしながら、上記従来の換気パネルの係止具２８の場合、各構成部品の寸法のばらつきや、組み付けのばらつきによって、開閉部材１６に設けられた突起部２６と本体枠１４に設けられた係止具２８の相対的な位置関係が、上述した所定の条件を満たせなくなることがあった。
【００１１】
取り付け面１４ｃから下端部２８の内側面までの距離αと取り付け面１４ｃから誘導面３２の先端までの距離βに対して、突起部２６の上端と取り付け面１４ｃとの距離ｄの位置関係が、例えば本来の設定値から１〜２ｍｍの範囲を超えてばらつくと、開閉部材１６の係止自体が困難となる。また、操作レバーの円滑な操作性を維持しながら、好ましい密閉状態を得ることができるのは、本来の設定値を中心としたかなり狭い範囲に限られる。
【００１２】
さらに、実際に換気パネルの取り付け工事を行った結果、例えば、距離α，βが距離ｄに対して短すぎる状態になったとき、係止具２８の横片２８ａと取り付け面１４ｃの間にスペーサを挟むという面倒な方法で距離α，βを長くする方向に調節される。一方、距離α，βが距離ｄに対して長すぎる状態になったとき、係止具２８の内側面２８ｃの位置を折り曲げて変形させ、距離α，βを調節する方法もある。しかし、係止具２８には一定の強度が要求されるため、この部分を後加工により正確に曲げて調整することは難しいものであった。しかも、後加工により調整できない場合、係止具２８を作り直す等の処置が必要であり、各構成部品の寸法ばらつきや組み付けのばらつきによって、換気パネルの取り付け工事に大きな手間と工数がかかる場合があった。
【００１３】
また、特許文献１に開示された乾式基礎の技術も段差調整スペーサを介在させるものであり、高さを高くする調整に限られ、上記と同様の問題が生じるものである。
【００１４】
この発明は、上記背景技術に鑑みて成されたもので、換気パネル等の各構成部品の寸法ばらつきや組み付けのばらつきを容易に補正することができ、開閉部材を確実に係止することが可能な開閉部材用係止装置を提供することを目的とする。
【課題を解決するための手段】
【００１５】
この発明は、屋内に設置された換気用通気路の終端の通気開口部に取り付けられ、前記通気開口部を開放及び閉鎖自在に取り付けられた開閉部材と、前記開閉部材に摺動自在に設けられた突起部と、前記突起部をその突出方向に対して垂直方向に往復動させる操作部材とが設けられ、前記突起部の往復動の方向と平行に形成された取り付け面が設けられ、前記取り付け面には、一方の側面にコの字状に開口したコの字開口部を有する係止具が取り付けられ、前記開閉部材で前記通気開口部を閉鎖した状態で前記操作部材を操作して前記突起部を所定方向に移動させると、前記突起部が前記コの字開口部に係合し、前記開閉部材が前記通気開口部周縁面側に圧接する方向に引き寄せられて係止される開閉部材用係止装置であって、前記係止具は、一対の上ブロックと下ブロックとを重ねて構成され、前記上ブロックには前記コの字開口部が設けられ、前記下ブロックには、前記取り付け面に当接する下面が設けられ、前記上ブロックの下面及び下ブロックの上面は、前記取り付け面に対して傾斜して設けられ、かつ、その傾斜面には凸凹部が形成され、前記上ブロックと前記下ブロックは、互いの前記凸凹部同士を係合させて前記取り付け面に一体に固定され、前記上ブロックと前記下ブロックの係合位置を変更することによって、前記コの字開口部と前記取り付け面との距離を調節可能とした開閉部材用係止装置である。
【００１６】
前記通気開口部を閉鎖したとき、前記通気開口部周縁面と前記開閉部材は、いずれか一方の表面に取り付けられたシール材を挟んで当接するものである。
【００１７】
前記上ブロック及び下ブロックの側面に目盛りが付され、前記目盛りは、前記上ブロック及び前記下ブロックが互いに係合した状態で、前記下ブロック下面から前記コの字開口部の誘導面までの距離を表示するものである。
【発明の効果】
【００１８】
この発明の開閉部材用係止装置によれば、係止具を構成する上ブロックと下ブロックを、傾斜面に形成した階段状の凸凹部の任意の位置同士で互いに係合させることによって、上ブロックに設けたコの字開口部の位置を、本体枠の取り付け面上の所定の位置からずれることなく、取り付け面からの距離だけを自在に調節することができる。
【００１９】
また、開閉部材を閉じたとき、本体枠の通気開口部周縁面と開閉部材を弾力性のあるシール材を挟んで当接させ、圧縮されたシール材で隙間を埋める構成にすることによって、換気用通気路の通気開口部が十分に密閉された状態に閉鎖することができる。また、シール材が変形する作用によって、各構成部品の寸法ばらつきや組み付けのばらつきを吸収する効果も期待できる。
【００２０】
さらに、前記上ブロック及び前記下ブロックが互いに係合したとき、前記下ブロック下面から前記誘導受け部までの距離に相当する目盛りが視認可能に付されているので、作業者が上ブロックと下ブロックを適切な係合位置に係合させるための目印にすることができ、作業効率が向上する。
【発明を実施するための最良の形態】
【００２１】
以下、この発明の一実施形態について、図１〜図７に基づいて説明する。なお、上述した従来の換気パネル及びその施錠部分の構造部品と同様の構成については、同一の符号を付して説明する。まず、換気パネル１０の構造について、図６、図７に基づいて説明する。換気パネル１０は、図６（ａ）に示すように、室内の窓ガラス１１の下方に設けられ、換気用通気路１２の終端に取り付けられた本体枠１４に略長方形の通気開口部１４ａが形成され、開閉部材１６によって、通気開口部１４ａが閉鎖されている。開閉部材１６は、窓ガラス１１側の一辺が本体枠１４に軸着され、その上面の軸着された一辺からやや離れた位置に、押しボタン１８と操作レバー２０が設けられている。
【００２２】
開閉部材１６は、図７（ａ）（ｂ）に示すように、開閉部材１６の下面の、軸着された一辺と反対側の部分に、開閉部材１６と略垂直の角度に摺動ガイド２２が設けられている。また、摺動ガイド２２には、細長の板材であるスライド板２４が、左右方向に摺動自在に保持されている。また、スライド板２４には、摺動ガイド２２との摺動面と反対側の面であって、長手方向の両端部分に、略円筒形状の突起部２６が一対に設けられている。このスライド板２４は、図示しない所定の機構によって操作レバー２０と連結されており、操作部分２０ａが斜め上方に突出した状態で操作部分２０ａを回すと、回転軸部分２０ｂの回転動作に連動して、スライド板２４が摺動ガイド２２内を長手方向に摺動する。すなわち、図７に示すように、操作レバー２０を反時計周りに回すと、スライド板２４は右方向に摺動し、一対の突起部２６は右方向に移動する。反対に、操作レバー２０を時計周りに回すと、スライド板２４は左方向に摺動し、一対の突起部２６は左方向に移動する。
【００２３】
本実施形態の開閉部材用係止装置は、図１に示すように、従来の係止具２８に代えて、下ブロック４０と上ブロック４２を組み合わせてなる係止具４４が用いられている。また、図２に示すように、開閉部材１６を閉じたときに、開閉部材１６の通気開口部周縁面１４ｂに当接する部分、にシール材４６が取り付けられている。
【００２４】
まず、係止具４４について説明する。係止具４４は、図３に示す下ブロック４０と図４に示す上ブロック４２を組み合わせたものであって、例えば、ポリアミド系樹脂等の比較的強度の強い合成樹脂により成形されている。そして、両ブロック４０，４２は、図３（ａ）と図４（ａ）に示す向きで傾斜面４０ｂ，４２ｂ同士を互いに対向させ、各傾斜面４０ｂ，４２ｂに形成された凸凹部４０ｃ，４２ｃ同士が互いに係合することによって相対的な位置が決まる。以下、両ブロック４０，４２の詳細な形状について、個別に説明する。
【００２５】
下ブロック４０は、図３に示すように、略長方形の水平面である下面４０ａと、その上方に下面４０ａに対して例えば約３０度の角度に傾斜した傾斜面４０ｂが形成され、略楔形の外形を有している。大きさは、適宜設定されるものであるが、例えば下面４０ａの長手方向の長さが約５０ｍｍ、幅が約１０ｍｍ、傾斜面４０ｂの頂点の高さが約２０ｍｍである。さらに、傾斜面４０のほぼ全体にわたって、傾斜方向に鋸歯状の階段を形成するように刻まれた凸凹部４０ｃが設けられている。ここでは、互いに隣り合う凸同士の間隔は、例えば約０．９４ｍｍ、同様に凸と凹の高低差は、約０．３５ｍｍに設定されている。
【００２６】
また、下ブロック４０には、下面４０ａから傾斜面４０ｂまで貫通し、下面４０ａに対して垂直方向に空けられた長穴４０ｄが２つ形成されている。この長穴４０ｄは、係止具４４を固定するための２本の螺子３６が各々挿通される穴であって、幅寸法は、螺子３６の直径よりもゆとりをもって大きく、長さ寸法は、下ブロック４２自体の強度を確保するために必要な樹脂部分を残し、極力長めに形成されている。さらに、略三角形の側面中央には、下面４０ａに対して垂直方向に、筋状の目盛り４０ｅが設けられている。目盛り４０ｅについては後述する。
【００２７】
一方、上ブロック４２は、図４（ｄ）の平面図に示すように、上方からみると略長方形の外形を有し、長さは例えば約３５ｍｍで下ブロック４０よりも短く、幅は例えば約１０ｍｍで下ブロック４０とほぼ等しい。上ブロック４２の下方の面は、図４（ａ）に示すように、例えば約３０度の角度に傾斜した傾斜面４２ｂが形成され、傾斜面４２ｂのほぼ全体にわたって、傾斜方向に鋸歯状の階段を形成するように刻まれた凸凹部４２ｃが設けられている。凸凹部４２ｃは下ブロック４０の凸凹部４０ｃと同様の形状に設定されており、凸凹部４２ｃと凸凹部４０ｃは、任意の位置で互いに係合可能に形成されている。
【００２８】
また、傾斜面４２ｂの両端部には、傾斜面４２ｂから上方に貫通する２つの丸穴４２ｄが一対に空けられており、その向きは、下ブロック４０と組み合わせたときに下面４０ａに対して略垂直の方向である。丸穴４２ｄは、係止具４４を固定するための２本の螺子３６が各々挿通される穴であって、内径は、螺子３６の直径よりもゆとりをもって大きく設定されている。
【００２９】
また、一対の丸穴４２ｂに挟まれた部分には、開閉部材１６の突起部２６が往復移動したときに係合するコの字開口部４６が形成された誘導受け部４８が設けられている。コの字開口部４６は、ブロック状の誘導受け部４８を突起部２６が往復移動する空間を切り欠くように形成されており、コの字開口部４６の内側上面４６ａは、突起部２６が往復移動する方向と平行に、内側上面４６ａから連続する誘導面４６ｂは、やや上方に広がる角度に設定されている。さらに、上ブロック４２のコの字開口部４６側の側面中央には、丸穴４２ｄの貫通方向と平行に、筋状の目盛り４２ｅが設けられている。目盛り４２ｅについては後述する。
【００３０】
以上説明した両ブロック４０，４２の組み合わせでなる係止具４４は、図１に示すように、本体枠１４の取り付け面１４ｃに取り付けられる。まず、下ブロック４０と上ブロック４２を、各傾斜面４０ｂ，４２ｂ同士を対向させ、各凸凹部４０ｃ，４２ｃ同士を所定の位置で係合させて係止具４４の形状を決定する。そして、そのまま下ブロック４０の下面４０ａを取り付け面１４ｃに当接させ、２つの螺子３６を丸穴４２ｂ及び長穴４０ａに挿通し、取り付け面１４ｃに螺子締めされる。取り付け面１４ｃは、図１（ａ）に示すように、突起部２６が往復移動する方向と平行に形成されているので、コの字開口部４６の内側上面４６ａは、突起部２６の往復移動の方向と平行に配置され、誘導面４６ｂは、取り付け面１４ｃから離れる方向に傾斜している。ここで、図１（ｂ）に示すように、説明の便宜上、取り付け面１４ｃから内側上面４６ａまでの距離をα、取り付け面１４ｃから誘導面４６ｂの先端までの距離をβと定義する。
【００３１】
開閉部材１６が閉じられた状態で、操作レバー２０による係止がされていない場合は、突起部２６は、コの字開口部４６の外側（図１（ｂ）における誘導受け部４８の下方）に位置している。また、図２に示すように、突起部２６の上端と取り付け面１４ｃとの距離ｄは、α＜ｄ＜βの関係を満たしている。
【００３２】
また、開閉部材１６の下面側であって通気開口部周縁面１４ｂに当接する部分には、図２に示すように、シール材取り付け部１４ｄが形成され、弾力性のあるゴム等を素材とするシール材４６が取り付けられている。従って、開閉部材１６と通気開口部周縁面１４ｂの間の隙間がシール材４６によって塞ぐことができる。また、シール材４６が変形する作用によって、各構成部品の寸法ばらつきや組み付けのばらつきを吸収する効果も期待できる。
【００３３】
次に、この状態から操作レバー２０を回し、開閉部材１６を係止する動作について説明する。操作レバー２０を回すと、突起部２６がコの字開口部４６の側に向かって（図１（ｂ）においては誘導受け部４８の方向に）移動し、突起部２６の上部が誘導面４６ｂに接触する。さらに操作レバー２０を回すと、突起部２６の上部は誘導面４６ｂ表面を摺動しながらコの字開口部４６の内側に進行する。そして、開閉部材１６は、シール材１４ｄを圧縮しながら通気開口部周縁面１４ｂ側に引き寄せられ、やがて、突起部２６がｄ＝αとなる位置まで移動したところで動作が停止し、係止された状態となる。このとき、通気開口部周縁部１４ｂは、シール材１４ｄによって隙間なく密閉され、空気の流れをほぼ完全に遮断することができる。
【００３４】
また、係止された開閉部材１６を開放するときは、押しボタン２０を押圧する。すると、図６（ｂ）に示すように、操作レバー２０の一方の端部である操作部分２０ａが斜めに突出する。そして、操作部分２０ａを、他の端部である回転軸部分２０ｂを中心に回すと、係止具４４の係止状態が解除される。さらに、操作部分２０ａを上方に持ち上げると、図６（ｃ）に示すように、本体枠１４に軸着された開閉部材１６が回動して通気開口部１４ａが開放される。開放された通気開口部１４ａを閉鎖するときは、上記と逆の操作を行う。
【００３５】
以上説明したように、開閉部材１６に設けられた突起部２６と本体枠１４に設けられた係止具４４の相互の位置関係が、係止する前の状態において、α＜ｄ＜βの条件を満たすことによって、確実に開閉部材１６を密閉状態に係止することができる。
【００３６】
なお、下ブロック４０と上ブロック４２の側面に付され、互いの係合位置を示す目盛り４０ｅ，４２ｅは、図１（ｂ）に示すように取り付け面１４ｃに組みつけられた状態で、例えば距離αに相当する数値を表示している。各ブロックの凸凹部４０ｃ，４２ｃは、この実施形態では上述したとおり、互いに隣り合う凸同士の間隔は約０．９４ｍｍ、同様に凸と凹の高低差は約０．３５ｍｍに各々設定され、両ブロックが約３０度という一定の傾斜面４０ｂ，４２ｂで互いに当接しているので、両ブロック，４２の係合位置と距離αの間には、ほぼ比例関係が成立し、係合する凸凹部分を隣に一列分移動することによって距離αが約０．３ｍｍ変化する。また、目盛り４２ｅの刻みは、距離αが約０．９ｍｍ変化する間隔に設定されている。なお、図１（ｂ）では省略されているが、目盛り４２ｅの近傍に、距離αを示す数字を表示してもよい。以上説明した目盛り４０ｅ，４２ｅによる表示は、後述する距離α，βの調節を行う際に使用される。
【００３７】
次に、係止具４４が有する距離α，βの調節機能について説明する。換気パネル１０の各構成部品の寸法ばらつきや、組み付けのばらつきによって、距離α，β及び距離ｄは必ずしも一定にならない。そこで、係止具４４の下ブロック４０と上ブロック４２の係合位置を変化させることによって、距離α，βと距離ｄの関係を上述の大小関係になるように調節する。
【００３８】
まず、係止具４４を取り付けるとき、上ブロック４２の凸凹部４２ｃを下ブロック４０の凸凹部４０ｃの任意の位置に係合させ、取り付け面１４ｃに螺子３６で固定する。そのあと、操作レバー２０を回して施錠を試み、コの字開口部４６と突起部２６との係合の具合を確認する。このとき、例えば、距離α，βが距離ｄに対して短すぎて具合が悪い場合は、螺子３６を少々緩めた後、図５（ｂ）に示すように、下ブロック４０を楔形の先端方向に所定距離だけ移動させ、距離α，βを長くした状態で再び両ブロック４０，４２を螺子３６を締め付けて固定する。逆に、距離α，βが距離ｄに対して長すぎて具合が悪い場合は、螺子３６を少々緩めた後、下ブロック４０を楔形の先端と逆の方向に所定距離だけ移動させ、距離α，βを短くした状態で再び両ブロック４０，４２を螺子３６を締め付けて固定する。この動作を適宜繰り返すことによって、両ブロック４０，４２を適切な係合位置で固定することができる。そして、適切な係合位置を目盛り４０ｅ，４２ｅによる表示で読み取っておく。
【００３９】
次に、他の係止具４４を取り付けるときは、上ブロック４２の凸凹部４２ｃと下ブロック４０の凸凹部４０ｃを、先の係止具４４で適切であった係合位置と同様の係合位置で係合させる。その際、先の係止具４４で適切な位置であった目盛り４０ｅ，４２ｅの表示を目印とすることができる。その後の調節は、先の係止具４４と同じ手順である。
【００４０】
以上説明したように、下ブロック４０の位置のみを移動させて上ブロック４２との係合位置を調整する構造なので、上ブロック４２を取り付け面１４ｃ上の所定の位置からずれることなく、取り付け面１４ｃから内側上面４６ａまでの距離αを簡単に調節することができる。また、係止具４４の側面に、距離αに相当する距離を表示する目盛り４０ｅ，４２ｅが付されているので、複数の係止具４４を取り付ける作業を行うときに最適な係合位置の目安として利用することができる。例えば、たくさんの換気パネルを何部屋にも取り付ける作業を行うときなどは、最初に取り付けた係止具４４の係合位置を覚えておき、二つ目以降を取り付けるときは、目盛り４０ｅ，４２ｅを利用して一律に最初の係合位置に設定するようにして作業を進めれば、係合位置の微調整を行う回数を減らすことができ、作業効率を向上させることができる。
【００４１】
なお、この発明の開閉部材用係止装置は上記実施形態に限定されるものではなく、係止具４４の材質は、所定の剛性と耐久性があれば、ポリアミド系以外の合成樹脂や、アルミニウム等の金属でもよい。
【００４２】
また、下ブロック４０と上ブロック４２の傾斜面４０ｂ，４２ｂの傾斜角度、凸凹部４０ｃ，４２ｃの鋸歯形状、誘導面４６ｂの傾斜角度については、換気パネル１０や開閉部材１６の形態（形状、大きさ、重量など）や、距離αを調節するときの最小刻み等を考慮して適宜設定されるものである。
【００４３】
また、下ブロック４０及び上ブロック４２を取り付け面１４ｃに固定する方法は、螺子３６による固定の他、接着剤による固定、あるいは二つの方法を併用した固定等、特に限定されない。
【００４４】
さらに、上記実施形態においては、本体枠１４の通気開口部１４ａ及び開閉部材１６は略長方形であるため、突起部２６と係止具４４は二組設けられているが、通気開口部１４ａと開閉部材１６の形態（形状、大きさ、重量など）を考慮して、その数を増減してもよい。
【図面の簡単な説明】
【００４５】
【図１】この発明の換気パネル用係止装置の実施形態であって、係止具の取り付け状態を示す平面図（ａ）、側面図（ｂ）である。
【図２】この実施形態の換気パネル用係止装置の構造を説明する縦断面図である。
【図３】この実施形態の換気パネル用係止装置の係止具を構成する下ブロックを示す正面図（ａ）、側面図（ｂ）、平面図（ｃ）、Ａ部拡大図（ｄ）である。
【図４】この実施形態の換気パネル用係止装置の係止具を構成する上ブロックを示す左側面図（ａ）、正面図（ｂ）、右側面図（ｃ）、平面図（ｄ）、Ｂ部拡大図（ｅ）である。
【図５】この実施形態の換気パネル用係止装置の係止具の取り付け状態の変更後の様子を示す平面図（ａ）、側面図（ｂ）である。
【図６】この実施形態の換気パネル用係止装置を取り付けた換気パネルであって、開閉部材が係止された状態を示す斜視図（ａ）、係止が解除された状態を示す斜視図（ｂ）、開閉部材が開かれた状態を示す斜視図（ｃ）である。
【図７】この実施形態の換気パネルの開閉部材に取り付けられた操作レバー等の動作を説明する平面図（ａ）、正面図（ｂ）である。
【図８】従来の係止具の取り付け状態を示す平面図（ａ）、側面図（ｂ）である。
【図９】従来の係止具を用いた係止構造を説明する縦断面図である。
【符号の説明】
【００４６】
１０  換気パネル
１２  換気用通気路
１４  本体枠
１４ａ  通気開口部
１４ｂ  通気開口部周縁面
１４ｃ  取り付け面
１６  開閉部材
１８  押しボタン
２０  操作レバー
２２  摺動ガイド
２４  スライド板
２６  突起部分
３６  螺子
４０  下ブロック
４０ａ  下面
４０ｂ  傾斜面
４０ｃ  凸凹部
４０ｄ  長穴
４０ｅ  目盛り
４２  上ブロック
４２ｂ  傾斜面
４２ｃ  凸凹部
４２ｄ  丸穴
４２ｅ  目盛り
４４  係止具
４６  コの字開口部
４６ａ  内側上面
４６ｂ  誘導面
４８  誘導受け部
【図１】
2010032095.tif 000003
【図２】
2010032095.tif 000004
【図３】
2010032095.tif 000005
【図４】
2010032095.tif 000006
【図５】
2010032095.tif 000007
【図６】
2010032095.tif 000008
【図７】
2010032095.tif 000009
【図８】
2010032095.tif 000010
【図９】
2010032095.tif 000011